(57)【要約】      （修正有）【課題】自宅に居ながら温泉入浴同様のホルミシス効果が得られる、温泉ラジウムの微量放射技術を提供する。【解決手段】繊維ネット１の上下面に、有機塗料と無機塗料をバインダーとした、放射線レベルが３７０ベクレル以下で１０μ粒状の、ラジウム粉末担持コートを塗布し、機能担持Ｃ層として形成し設け、またポリエチレン発泡体６の下面にアルミ箔反射体７を蒸着し、さらに、ポリエステルフイルム８を貼りつけて、断熱反射Ｂ層として形成する。塩化ビニール発泡体１０の上下面に、軟質塩化ビニールシート１１を貼りつけて、保温Ａ層として形成し設け、そしてこの保温Ａ層を最上層に、断熱反射Ｂ層を中間層に、機能担持Ｃ層を最下層に設けて、これらを重ね合わせて密圧着する。【選択図】図１
2009160353.tif 000002
【特許請求の範囲】
【請求項１】
繊維ネット（１）の上下面に、有機塗料（２）と無機塗料（３）をバインダーとした、放射線レベル３７０ベクレル以下で１０μ以下の、天然放射性鉱石および天然ラジウム鉱石の粉末担持コート（４）を塗布し、機能担持Ｃ層（５）として形成し設け、またポリエチレン発泡体（６）の下面にアルミ箔反射体（７）を蒸着し、このアルミ箔反射体（７）の下面にポリエチレンテレフタレートである、ポリエステルフイルム（８）を貼りつけて、断熱反射Ｂ層（９）として形成し設け、さらに塩化ビニール発泡体（１０）の上下面に、軟質塩化ビニールシート（１１）を貼りつけて、保温Ａ層（１２）として形成し設け、そしてこの保温Ａ層（１２）を最上層に、断熱Ｂ層（９）を中間層に、機能担持Ｃ層（５）を最下層に設けて、これらを重ね合わせて密圧着したことを特徴とする、ソフトドーム構造体。
【請求項２】
保温Ａ層（１２）が、ポリエステル繊維不織布（１３）の上下面にポリエステル繊維シート（１４）を貼りつけて形成したことを特徴とする、請求項１記載のソフトドーム構造体。
【請求項３】
繊維ネット（１）の上下面に、有機塗料（２）と無機塗料（３）をバインダーとした、遠赤外線放射率８５％以上の金属酸化物および天然鉱石の１０μ以下の粉末担持コート（１６）を塗布したことを特徴とする、請求項１および請求項２記載のソフトドーム構造体。
【請求項４】
周囲にマジックチャック（１７）を設けたことを特徴とする、請求項１および請求項２、請求項３記載のソフトドーム構造体。
【発明の詳細な説明】
【技術分野】
【０００１】  本発明は、誰でも自宅に居ながら本格的な玉川温泉に匹敵する、天然ラジウム温泉効果を得る事ができる、技術に関するものである。
【背景技術】
【０００２】  近年の社会的環境の変化は著しく、特にストレス社会と云われるように政治経済から始まり、メデア社会、産業構造全般、病院の体勢や薬害、学校、教育、宗教、家庭に至るまで、何か目に見えない悪玉ストレスを人々は、様々の形で受けている。また急速に、高齢化社会が進んでおり、生きて行くのは大変である。それに負けないためには、一人一人の肉体的精神的健康を保つしかない。それには温泉入浴が一番である。
【発明の開示】
【発明が解決しようとする課題】
【０００３】  しかし、すべての人が温泉場を求めて簡単に出掛ける訳にもいかない。とくに体の不自由な方、あるいは病人や年寄り等、なかなか温泉に行く事が出来ないのである。
最近では、特開２００７−１３０１６４「放射性シート」が開示されているが、これは低レベルの放射線を放出するラジウムを有するシートに、温熱部材を組み合わせた、マット状のシートで布団やベットに入れて、この上に身体を寝かせて、放射線効果と温熱効果を体験するものである。しかしながら温熱ヒーターを使用する強制加熱は体は暖まるが、皮膚呼吸に悪影響を起こし、皮膚を必要以上に乾燥させると云う、マイナス面がある。また、特開２００４−１０５４７「鉱物組成物の粉末とラジウム鉱石の粉末をいれて、樹脂やゴム材等に含有させたシート基材」もあるが、やはりこれもシーツの様に、身体の下に敷いて利用するものである。
これら問題点を改善するために本発明はなされたのである。
【課題を解決するための手段】
【０００４】  繊維ネット（１）の上下面に、有機塗料（２）と無機塗料（３）をバインダーとした、ラジウム等粉末担持コートを塗布し、機能担持Ｃ層（５）として形成し設ける。またポリエチレン発泡体（６）の下面にアルミ箔反射体（７）を蒸着し、この下面にポリエチレンテレフタレートである、ポリエステルフイルム（８）を貼りつけて、断熱反射Ｂ層（９）として形成し設ける。さらに、塩化ビニール発泡体（１０）の上下面に軟質塩化ビニールシート（１１）を貼りつけて、保温Ａ層（１２）として形成し設ける。そしてこの保温Ａ層（１２）を最上層に、断熱反射Ｂ層（９）を中間層に、機能担持Ｃ層（５）を最下層に設けて、これらを重ね合わせて密圧着し、薄い掛布団状にする。または保温Ａ層（１２）が、ポリエステル繊維不織布（１３）の上下面にポリエステル繊維シート（１４）を貼りつけて形成する。さらには周囲に、マジックチャック（１７）を設ける。
本発明は以上のような構成よりなる、ソフトドーム構造体である。
【発明の効果】
【０００５】  本発明は、掛布団を掛けた状態で使用するので、使用者の身体との空間がちょうどドームを形成することになり、このドーム内を低レベル・ラジウム放射線（放射線量は７４ベクレル／ｇ以内の玉川温泉クラス）の適度なα線・β線・γ線で満たされ、この微量放射線により、細胞活動が活性化され自然治癒力が向上する。また新陳代謝が大幅に高まりホルモンの分泌を促し、血流を安定させ、その効果は人体深部まで達し、抗酸化酵素を大幅に増加させ、ＤＮＡの修復やガン抑制遺伝子を活発にする等、病人治癒にも絶大なる効果を発揮する。これらはホルミシス効果として知られている。
【発明を実施するための最良の形態】
【０００６】  ベストモードとしての本発明を、以下、図面を参考に説明すれば、図１〜図２に示すごとく、最下層を機能担持Ｃ層（５）、中間層に断熱反射Ｂ層（９）として、最上層に保温Ａ層（１２）として重ねて圧着して、１層の構造体として形成する。
この中で、一番最下層に設けられている機能担持Ｃ層（５）は、人体に直接効能が作用する重要なところであり、繊維ネット（１）を、その上下面に有機塗料（２）と無機塗料（３）をバインダーとした、放射線レベルは３７０ベクレル以下で１０μ以下の天然放射性鉱石および天然ラジウム鉱石の粉末担持コート（４）を塗布して機能担持Ｃ層（５）を形成する。また、中間層の断熱反射Ｂ層（９）はポリエチレン発泡体（６）の下面にアルミ箔反射体（７）を蒸着させて、さらにその下面にポリエチレンテレフタレートのポリエステルフイルム（８）を貼りつける。この、アルミ箔反射体（７）は、天然鉱石から放出される遠赤外線と、ラジウムから発生するγ線・α線・β線等の外部への放出を、最小限に止める反射効果を発揮する。また最上層の保温Ａ層（１２）は塩化ビニール発泡体（１０）の上下面に軟質塩化ビニールシート（１１）を貼りつけて設ける。これにより全体的に外部温度と遮断して、ドーム内部の人体の温熱を効率よく保つ。さらにこの保温Ａ層（１２）は、ポリエステル繊維不織布（１３）の上下面にポリエステル繊維シート（１４）を貼りつけて形成したものでも良い。さらに、繊維ネット（１）の上下面に、１０μ以下に粉砕した、強力に遠赤外線を放射する、その遠赤外線放射率が８５％以上の金属酸化物および天然鉱石を選び、有機塗料（２）と無機塗料（３）をバインダーとして構成した、金属酸化物および天然鉱石の粉末担持コート（１６）を塗布したものも、ホルミス効果に大きく寄与する。つまり、微量のラジウム放射と遠赤外線放射との効果が期待できる。また本発明の周囲にマジックチャック（１７）を設けることにより隙間が無くなり、ベッド岩盤浴に於いても、一般岩盤浴に於いても、さらなる大きなドーム効果が得られる。【０００７】  本発明は以上のような構成であり、これを使用実施せんとするときには、図３のごとく、敷布団等の上に寝て、掛布団の要領で身体に被せるだけで良い。また、真冬の寒い時期は、特に病人等は電気暖房シートを下に敷いて利用しても良い。さらに、本発明者開発中の発熱体システムで作った、岩盤ベット（１５）に利用したり、通常の岩盤浴施設での利用でも、高発汗作用老廃物除去のデトックス効果が大きい。
【図面の簡単な説明】
【０００８】
【図１】  本発明の拡大断面図である。
【図２】  本発明の積層説明図である。
【図３】  本発明の実施図である。
【図４】  本発明の足付きタイプのマジックチャック実施図である。
【図５】  本発明の床置きタイプのマジックチャック実施図である。
【図６】  本発明の一般岩盤浴での実施図である。
【符号の説明】
【０００９】  １  繊維ネット
２  有機塗料
３  無機塗料
４  天然放射性鉱石および天然ラジウム鉱石の粉末担持コート
５  機能担持Ｃ層
６  ポリエチレン発泡体
７  アルミ箔反射体
８  ポリエステルフイルム
９  断熱反射Ｂ層
１０  塩化ビニール発泡体
１１  軟質塩化ビニールシート
１２  保温Ａ層
１３  ポリエステル繊維不織布
１４  ポリエステル繊維シート
１５  岩盤ベット
１６  遠赤外線放射率８５％以上の金属酸化物および天然鉱石の粉末担持コート
１７  マジックチャック
１８  足付岩盤ベット
１９  床置岩盤ベット
２０  一般岩盤浴
【図１】
2009160353.tif 000003
【図２】
2009160353.tif 000004
【図３】
2009160353.tif 000005
【図４】
2009160353.tif 000006
【図５】
2009160353.tif 000007
【図６】
2009160353.tif 000008